(57)【要約】
【課題】素早く折り畳むことができ、持ち運びや保管に便利な構造設計により、使用者が戸外活動を行う場合に、極めて優れた便利性と実用性を備えた戸外用折り畳み式テーブルを提供すること。
【解決手段】1台のメインテーブル１１と1台の付属テーブル１２を含む。メインテーブル１１は二組の長さの異なる脚１１１，１１２とテーブル表面１１０をピボットジョイントブロック１１４，１１５で結合したものであり、脚１１１，１１２をテーブル表面１１０下で折り畳む機能を備えている。二組の脚１１１，１１２の間に折り畳み式網棚１１３も備えている。付属テーブル１２の片側にジョイントブロックが設置されているため、メインテーブル１１の脚１１１と接続することができる。また、付属テーブル１２のもう片側にもピボットジョイントブロックを設置し、メインテーブル１１の脚１１１と接続されているため、メインテーブル１１の片方に折り畳むことができる。
【選択図】図１
0003099742.tif 000002
【実用新案登録請求の範囲】
【請求項１】
　一種の戸外用折り畳み式テーブルで、主に1台のメインテーブルと1台の付属テーブルなどの部品から成り、
　前記メインテーブルは1個のテーブル表面、一組の長脚、一組の短脚、及び折り畳み式の網棚から構成されており、
このうち、前記テーブル表面の下縁の片方に一組の長いピボットジョイントブロックが設置されており、
　他の前記一組の短脚の先端に設置されたジョイントブロックと結合することができ、前記長いピボットジョイントブロックに相対する前記テーブル表面の下端の縁側には一組の短いピボットジョイントブロックも設置されており、前記長脚のジョイントブロックと結合させることができ、
　また、前記長脚と短脚の先端の適所に下方固定チップを設置したため、前記メインテーブルの下縁に設置された上方固定チップと互いに組み合わせることができ、
前記長脚と短脚を開いたとき、前記上方固定チップが折り畳み式テーブルを固定するようになっており、
　前記短脚の中央の高い場所に短いピボットジョイントブロックを設置したことにより、前記折り畳み式の網棚の片側に設置されたジョイントブロックと結合することができ、
　更に前記折り畳み式の網棚のもう片側にフックを設置し、これを前記長脚と結合することができ、
　前記付属テーブルは1個のテーブル表面及び一組の脚から成り、
　このうち、前記テーブル表面の外側下縁に一組のピボットジョイントブロックを設置したため、前記脚上に設置されたジョイントブロックと結合することができ、
　そして、前記脚先端の適所に下方固定チップを設置したため、前記付属テーブルの下縁に設置された上方固定チップと互いに組み合わせることができ、
　また、前記付属テーブルの内側にもジョイントブロックを設置し、前記メインテーブルの前記長脚に設置された長いピボットジョイントブロックと結合することができることを特徴とする戸外用折り畳み式テーブル。
【請求項２】
　ピボットジョイントブロックの旋転機能により、まず、脚がテーブル表面と平行に隣接するまで内側上方に旋転させ、次にテーブル表面が長脚と平行に隣接するまで下方に旋転し、
　この時、まず折り畳み式網棚を短脚の方向に折り畳み、さらに付属テーブルと繋がっている長脚をテーブル表面と平行に隣接するまで内側上方に旋転させ、最後に短脚を上側に収納することができることを特徴とする請求項１記載の戸外用折り畳み式テーブル。
【考案の詳細な説明】
【技術分野】
【０００１】
　本考案は一種の戸外用折り畳み式テーブルに関するもので、特に素早く折り畳むことができ、持ち運びや保管に便利な構造設計により、使用者が戸外活動を行う場合に、極めて優れた便利性と実用性を提供することができる戸外用折り畳み式テーブルに関する。
【背景技術】
【０００２】
　現在は戸外レジャー活動が重視されると同時に、キャンプ、旅行、バーベキュー、及びピクニックなど戸外活動において、数多くの家庭用品を使用する機会が高まっている。使用者のこうした需要に応えるべく、現在市場では、折り畳み式の構造を重視し、折り畳み式テーブルの構造設計及び機能を改善するため、新しいアイデアが次々と出回っている。
【考案の開示】
【考案が解決しようとする課題】
【０００３】
　このため、素早く折り畳み、収合（収納）することができ、使用者が外出時に携帯及び保管には便利であるかどうか、そして最大の便利性を提供することができるかどうかという点が現在折り畳み式テーブルの構造設計の重点となっている。
【課題を解決するための手段】
【０００４】
　このことに鑑み、本考案者は改良を考え、実際の経験を踏まえた上で不断の研究構想を重ね、一種の『戸外用折り畳み式テーブル』を考案した。本考案品は、より優れた便利性と実用性を提供することができ、更にこの設計により以下の考案目的を達成することができる。
【０００５】
　本考案設計の目的は、一種の戸外用折り畳み式テーブルの提供である。主に1台のメインテーブルと1台の付属テーブルなどの部品を含む。このうち、メインテーブルは二組の長さの異なる脚とテーブル表面をピボットジョイントブロックで結合したものであり、脚をテーブル表面下で折り畳む機能を備えている。更に、二組の脚の間に折り畳み式の網棚も備えている。付属テーブルの片側にジョイントブロックが設置されているため、メインテーブルの脚と接続することができる。また、付属テーブルのもう片側にもピボットジョイントブロックを設置し、メインテーブルの脚と接続されているため、メインテーブルの片方に折り畳むことができる。この設計により、本折り畳み式テーブルを戸外活動に使用することができ、折り畳み及び保管の便利性という目的を達成することができる。
【考案の効果】
【０００６】
　本考案は一種の戸外用折り畳み式テーブルに関するもので、主に1台のメインテーブルと1台の付属テーブルなどの部品から成る。このうちメインテーブルは二組の長さの異なる脚とテーブルの表面をピボットジョイントブロックで結合したものであり、脚を表面の下で折り畳む機能を備えている。更に、二組の脚の間に折り畳み式の網棚が設置されている。付属テーブルの片側にジョイントブロックが設置されており、メインテーブルの脚と接続することができる。また、付属テーブルのもう片側もピボットジョイントブロックで脚と結合したものから成り、メインテーブルの片方で折り畳んで収納することができる。
【０００７】
　この設計により、本テーブルを戸外活動に使用することができ、同時に折り畳みの機能を備えているため、素早く折り畳むことができ、使用者が収納及び携帯するのに便利になり、保管や持ち運びに便利である。全体的に見て、本考案品の収納手順は極めてシンプルであり、極めて優れた便利性と実用性を具えているので、使用者に戸外活動への携帯性を有効に適用することができる。
【考案を実施するための最良の形態】
【０００８】
　本考案の構造の特徴及び特長を明確に説明する為に、添付図を利用して以下に詳細説明する:
　まず、図1は本考案である戸外用折り畳み式テーブル(1)の立体組立図である。主に1台のメインテーブル(11)と1台の付属テーブル(12)などの部品から成る。メインテーブル(11)は1枚のテーブル表面(110)、1本の長脚(111)、1本の短脚(112)、及び1個の折り畳み式網棚(113)で構成されている。このうち、テーブル表面(110)の下縁には長いピボットジョイントブロック(114)が設置されており、一組の短脚(112)上部に設置されたジョイントブロック(116)と互いに結合させることができる。更に長いピボットジョイントブロック(114)の反対側のテーブル表面(110)の下縁箇所には一組の短いピボットジョイントブロック(115)が設置されており、長脚(111)のジョイントブロック(116)と組み合わせることができる。更に長脚と短脚(111)、(112)先端の適所に下方固定チップ(117)を設置し、下方固定チップ(117)とテーブル表面(110)の下縁に設置された上方固定チップ(118)と互いに組み合わせることができるようにした。長短脚(111)、(112)を開いたとき、この上下固定チップ(117)、(118)で折り畳み式テーブルを支えることができる。また、短脚(112)中央の高い場所に短いピボットジョイントブロック(115)を設置し、折り畳み式網棚(113)の片側に設置されたジョイントブロック(116)をこれと接続することができる。更に折り畳み式の網棚(113)の片側に設置されたジョイントブロック(119)は、長脚(111)のロッド上に設置することができる。
【０００９】
　付属テーブル(12)は、図２に示すように、1個のテーブル表面(120)及び一組の脚(121)から成る。このうち、テーブル表面(120)の外側下縁に一組のピボットジョイントブロック(122)を設置したため、脚(121)上に設置されたジョイントブロック(123)と結合することができる。そして、脚(121)先端の適所に下方固定チップ(124)を設置したため、テーブル表面(120)の下縁に設置された上方固定チップ(125)と互いに組み合わせることができ、また、テーブル表面(120)の内側にもジョイントブロックを設置し、メインテーブル(11)の長脚(111)ロッド上に設置された長いピボットジョイントブロック(114)と結合することができる。
【００１０】
　本考案の全体的な動作及び使用については、図2及び図3を参照して説明する。本考案はピボットジョイントブロックの旋転機能により、まず、脚(121)がテーブル表面(120)と平行に隣接するまで内側上方に旋転させ、次に表面(120)が長脚(111)と平行に隣接するまで下方に旋転する。この時、まず折り畳み式網棚(113)を短脚(112)の方向に折り畳み、さらに付属テーブル(12)と繋がっている長脚(111)を表面(110)と平行に隣接するまで内側上方に旋転させ、最後に短脚(112)を上側に収合（収納）する。この設計により、戸外用折り畳み式テーブル(1)を素早く折り畳むことができ、使用者の収納及び携帯にも便利になった。本考案品の収合（収納）手順は極めてシンプルであり、使用者の戸外活動に便利に携帯することができる。
【００１１】
　本考案の戸外用折り畳み式テーブル(1)は、より高い便利性を備えている。図4を参照すると、付属テーブル(12)をネット(13)に交換することができるのが分かる。
【００１２】
　前方にはＵ字型のファスナー(131)が付いており、内部に物を放置することができ、食べ物などが汚れないよう図ることができる。また、メインテーブル(11)のもう片方には清浄棚(14)を設け、食べ物を洗うことができ、極めて便利である。ここには食べ物を乾かすためのネットシンク(141)が設置されており、またもう片方には食べ物を洗うためのシンク(142)を設けた。ネット(13)とシンク(14)の設計もまた、素早く折り畳むことが可能である。
【００１３】
　上述から、本考案の『戸外用折り畳み式テーブル』は素早く折り畳むことができ、携帯や収納目的を有効に達成することが主な目的であり、使用者が野外活動を行う際に、優れた実用性と便利性を提供することができる。このため、本考案の設計は、創造力溢れる優良なものであり、新型特許申請要件に符合するため、ここに法に則り申請を提出する。
【図面の簡単な説明】
【００１４】
【図１】本考案の立体外観図である。
【図２】本考案の折り畳み実施例図(一)である。
【図３】本考案の折り畳み実施例図(二)である。
【図４】本考案の最良実施例図立体外観図である。
【符号の説明】
【００１５】
(1)戸外用折り畳み式テーブル　　　　　(11)メインテーブル
(110)テーブル表面　　　　　　　　　　(111)長脚
(112)短脚　　　　　　　　　　　　　　(113)折り畳み式網棚
(114)長いピボットジョイントブロック　(115)短いピボットジョイントブロック
(116)ジョイントブロック　　　　　　　(117)下方固定チップ
(118)上方固定チップ　　　　　　　　　(119)フック
(12)付属テーブル　　　　　　　　　　　(120)テーブル表面
(121)脚　　　　　　　　　　　　　　　(122)ピボットジョイントブロック
(123)ジョイントブロック　　　　　　　(124)下方固定チップ
(125)上方固定チップ
(131)Ｕ字型ファスナー　　　　　　　　(13)ネット
(141)ネットシンク　　　　　　　　　　(14)洗浄棚
(142)防水布のシンク
【図１】
0003099742.tif 000003
【図２】
0003099742.tif 000004
【図３】
0003099742.tif 000005
【図４】
0003099742.tif 000006